(57)【要約】  筐体の小型化を図りながら、電池の内部からガスまたは火炎等が噴出した場合に、周囲への影響を軽減することができる電池カバーを提供する。電池カバーは、電池を収納するための筐体と、筐体の内周面に形成され、筐体の内周面と電池の外周面との間に第１の空間を形成するためのリブと、を備える。筐体は、筐体の内部と外部とを連通する通気孔と、電池のプラス極を収納するための第１の収納部と、電池のマイナス極を収納するための第２の収納部と、を有する。そして、通気孔は、筐体における第１の収納部よりも第２の収納部に近い位置に配置されている。
2018025559.tif 000002
【特許請求の範囲】
【請求項１】
電池を収納するための筐体であって、当該筐体の内部と外部とを連通する通気孔と、前記電池のプラス極を収納するための第１の収納部と、前記電池のマイナス極を収納するための第２の収納部と、を有する筐体と、
前記筐体の内周面に形成され、前記筐体の前記内周面と前記電池の外周面との間に第１の空間を形成するためのリブと、を備え、
前記通気孔は、前記筐体における前記第１の収納部よりも前記第２の収納部に近い位置に配置されている、
電池カバー。
【請求項２】
前記リブは、前記第１の収納部から前記第２の収納部に向けて螺旋状に延伸する、
請求項１に記載の電池カバー。
【請求項３】
前記電池カバーは、前記第１の収納部の内周面に形成され、前記第１の収納部の端面と前記電池の前記プラス極との間に第２の空間を形成するための空間保持部をさらに備える、
請求項１または２に記載の電池カバー。
【請求項４】
前記電池カバーは、前記第１の収納部に収納され、前記電池の前記プラス極を覆うプレート部材をさらに備える、
請求項１〜３のいずれか１項に記載の電池カバー。
【請求項５】
前記電池カバーは、
一端部が前記電池の前記プラス極および前記マイナス極の一方と電気的に接続された電極板と、
前記筐体の内部に形成された溝部であって、前記電極板が収納され、前記電極板の他端部を前記筐体の外部に引き出すための溝部と、をさらに備える、
請求項１〜４のいずれか１項に記載の電池カバー。
【請求項６】
請求項１〜５のいずれか１項に記載の複数の電池カバーと、
前記複数の電池カバーのそれぞれに収納され、相互に電気的に接続された複数の電池と、を備える、
電池パック。
【発明の詳細な説明】
【技術分野】
【０００１】
本開示は、電池を収容するための電池カバー、および、電池が収納された電池カバーを複数備えた電池パックに関する。
【背景技術】
【０００２】
繰り返し使用できる二次電池等の電池は、例えば過度の充放電や内部短絡等により、発熱して高温（例えば、１００℃以上）になる場合がある。そして、過度に高温になった電池は、電池の内部からガスまたは火炎等が外部に噴出（以下、「暴発」ともいう）することがある。【０００３】
そのような事態が生じたときに周囲への影響を軽減することを目的とした、電池を収納するための電池カバーが提案されている。この電池カバーは、暴発により電池の内部から噴出したガスまたは火炎等が周囲に拡散するのを抑制することができる。【０００４】
例えば特許文献１には、フィルタ部が設けられた電池カバーが開示さている。この電池カバーでは、電池から噴出したガスに含まれる可燃性物質がフィルタ部に吸収されることにより、可燃性物質が電池カバーの周囲に拡散することが抑制される。【０００５】
また、例えば特許文献２には、金属製のメッシュ部材で覆われた通気孔が設けられた電池カバーが開示されている。この電池カバーでは、電池の内部から噴出したガスまたは火炎等がメッシュ部材に吸収されることにより、ガスまたは火炎等が通気孔から電池カバーの周囲に拡散することが抑制される。
【先行技術文献】
【特許文献】
【０００６】
【特許文献１】特開２００６−２２８６１０号公報
【特許文献２】特開２００９−２１２０８１号公報
【発明の概要】
【０００７】
本開示は、筐体の小型化を図りながら、電池の内部からガスまたは火炎等が噴出した場合に、周囲への影響を軽減することができる電池カバーおよび電池パックを提供する。
【０００８】
本開示における電池カバーは、電池を収納するための筐体であって、当該筐体の内部と外部とを連通する通気孔と、前記電池のプラス極を収納するための第１の収納部と、前記電池のマイナス極を収納するための第２の収納部と、を有する筐体と、前記筐体の内周面に形成され、前記筐体の前記内周面と前記電池の外周面との間に第１の空間を形成するためのリブと、を備え、前記通気孔は、前記筐体における前記第１の収納部よりも前記第２の収納部に近い位置に配置されている。
【０００９】
本開示における電池カバーは、筐体の小型化を図りながら、電池の内部からガスまたは火炎等が噴出した場合に、周囲への影響を軽減することができる。
【図面の簡単な説明】
【００１０】
【図１】図１は、実施の形態１における電池パックの一構成例を模式的に示す斜視図である。
【図２】図２は、実施の形態１における電池パックの一構成例を模式的に示す斜視図である。
【図３】図３は、実施の形態１における電池パックの一構成例を模式的に示す分解斜視図である。
【図４】図４は、実施の形態１における電池パックの一構成例を模式的に示す断面斜視図である。
【図５】図５は、実施の形態１における電池パックの一構成例を模式的に示す部分断面図である。
【図６】図６は、実施の形態１における電池パックが備える筐体の一構成例を模式的に示す分解斜視図である。
【図７】図７は、実施の形態２における電池パックの一構成例を模式的に示す部分断面図である。
【図８】図８は、実施の形態３における電池パックの一構成例を模式的に示す斜視図である。
【図９】図９は、実施の形態３における電池パックの内部構造の一構成例を模式的に示す斜視図である。
【発明を実施するための形態】
【００１１】
（本開示の基礎となった知見）
本願発明者らは、従来技術に関して、以下の問題が生じることを見出した。
【００１２】
特許文献１に開示された電池カバーでは、フィルタ部の厚みを、電池の内部から噴出したガスまたは火炎等に含まれる可燃性物質をフィルタ部で十分に吸収できる程度に大きくする必要がある。そのため、その電池カバーでは、フィルタ部の厚みの分だけ、電池カバーが大型化するという問題が生じる。
【００１３】
特許文献２に開示された電池カバーでは、通気孔は、電池のプラス極の近傍に配置されている。一般的に、電池が過熱により暴発した場合には、電池のプラス極（または、プラス極の周囲）からガスまたは火炎等が噴出する傾向にある。そのため、通気孔が電池のプラス極の近傍に配置されている場合には、電池のプラス極から噴出したガスまたは火炎等が、高温のまま通気孔から電池カバーの周囲に拡散する可能性がある。
【００１４】
（実施の形態）
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１５】
なお、添付図面および以下の説明は、当業者が本開示を十分に理解するために提供されるのであって、これらにより特許請求の範囲に記載の主題を限定することは意図されていない。
【００１６】
また、各図は、必ずしも厳密に図示されたものではなく、本開示をわかりやすく示すために適宜強調や省略、比率の調整を行った模式図であり、実際の形状や位置関係、比率とは異なる場合がある。また、各図において、実質的に同じ構成要素については同じ符号を付し、説明を省略または簡略化する場合がある。
【００１７】
以下、図１〜図９を参照しながら本開示の実施の形態について説明する。なお、以下の実施の形態では、各図面にＸ軸、Ｙ軸、Ｚ軸の３軸を示し、必要に応じて、ＸＹＺ軸を用いて説明を行う。本実施の形態では、便宜的に、電池パック２の長辺方向に平行（実質的に平行）な方向をＸ軸方向とし、電池カバー６の上ケース３４と下ケース３６との接合面に平行（実質的に平行）な面においてＸ軸に直交する方向をＹ軸方向とし、Ｘ軸およびＹ軸の双方に直交する方向をＺ軸方向とする。また、電池４ａ〜４ｃのマイナス極１４に対するプラス極１２の配置方向をＸ軸正方向とし、電池４ａ〜４ｃを筐体から取り出す方向をＺ軸正方向とする。
【００１８】
（実施の形態１）
以下、図１〜図６を参照しながら、実施の形態１について説明する。
【００１９】
［１−１．電池パックの構成］
まず、図１〜図４を参照しながら、実施の形態１に係る電池パック２の構成について説明する。
【００２０】
図１および図２は、実施の形態１における電池パック２の一構成例を模式的に示す斜視図である。なお、図１および図２には、互いに異なる角度から見た電池パック２の斜視図を示す。
【００２１】
図３は、実施の形態１における電池パック２の一構成例を模式的に示す分解斜視図である。
【００２２】
図４は、実施の形態１における電池パック２の一構成例を模式的に示す断面斜視図である。図４には、図１に示す電池パック２のＩＶ−ＩＶ線断面図を示す。
【００２３】
図１〜図４に例示するように、電池パック２は、複数（例えば、３つ）の電池４ａ、電池４ｂ、電池４ｃ（図３、図４参照）と、複数（例えば、３つ）の電池カバー６ａ、電池カバー６ｂ、電池カバー６ｃ（図１、図３、図４参照）と、セイフティユニット８（図２参照）と、被覆部材１０（図１、図２参照）と、を備えている。電池パック２は、例えばポータブルテレビ等の電子機器（図示せず）に搭載され、その電子機器を駆動するための電源として用いられる。
【００２４】
電池４ａ〜４ｃの各々は、互いに実質的に同一の構成を有する。電池４ａ〜４ｃは、例えばリチウムイオン等の非水電解質二次電池であるが、他の電池であってもよい。図３および図４に例示するように、電池４ａ〜４ｃの各々は、例えば略円柱状に形成されている。電池４ａ〜４ｃの各々の長辺方向（Ｘ軸方向）における一端部（Ｘ軸正方向側の端部）にはプラス極１２が形成され、電池の４ａ〜４ｃの各々の長辺方向における他端部（Ｘ軸負方向側の端部）にはマイナス極１４が形成されている。
【００２５】
電池カバー６ａは電池４ａを、電池カバー６ｂは電池４ｂを、電池カバー６ｃは電池４ｃを、それぞれ収納するためのカバーである。電池カバー６ａ〜６ｃは、電池パック２の長辺方向（Ｘ軸方向）に直列に並んで配置され、電池４ａ〜４ｃが電気的に直列に接続されるように、相互に連結されている。図１〜図４に例示するように、電池カバー６ａは筐体１６ａを有し、電池カバー６ｂは筐体１６ｂを有し、電池カバー６ｃは筐体１６ｃを有している。なお、電池カバー６ａ〜６ｃは互いに実質的に同じ構造を有し、筐体１６ａ〜１６ｃは互いに実質的に同じ構造を有するため、以下では、互いを区別して説明する必要が特にない場合は、電池カバー６ａ〜６ｃを総称して「電池カバー６」ともいい、筐体１６ａ〜１６ｃを総称して「筐体１６」ともいう。同様に、電池４ａ〜４ｃも互いに実質的に同じ構造を有するため、互いを区別して説明する必要が特にない場合は、電池４ａ〜４ｃを総称して「電池４」ともいう。
【００２６】
筐体１６は、電池４の形状に対応した形状で形成されている。筐体１６は、例えば略中空円柱状に形成されている。筐体１６は、例えばポリカーボネート等の不燃性（自己消火性）の樹脂で形成されているが、他の不燃性の材料で形成されてもよい。そして、電池カバー６ａの筐体１６ａには電池４ａが、電池カバー６ｂの筐体１６ｂには電池４ｂが、電池カバー６ｃの筐体１６ｃには電池４ｃが、それぞれ収納されている。なお、筐体１６と、当該筐体１６に収納された電池４とは、互いに電気的に絶縁されている。筐体１６の構成については後述する。
【００２７】
電池カバー６ａは、プラスリード板１８を有している（図２、図３参照）。プラスリード板１８は、電池４ａのプラス極１２とセイフティユニット８とを電気的に相互に接続するための電極板である。図３に例示するように、プラスリード板１８の一端部は、電池カバー６ａの筐体１６ａの内部において、電池４ａのプラス極１２に、半田付けまたはスポット溶接等により取り付けられている。図２に例示するように、プラスリード板１８の他端部は、電池カバー６ａの筐体１６ａの外部に引き出されており、セイフティユニット８に、半田付けまたはスポット溶接等により取り付けられている。
【００２８】
電池カバー６ｃは、マイナスリード板２０を有している（図２、図３参照）。マイナスリード板２０は、電池４ｃのマイナス極１４とセイフティユニット８とを電気的に相互に接続するための電極板である。図３に例示するように、マイナスリード板２０の一端部は、電池カバー６ｃの筐体１６ｃの内部において、電池４ｃのマイナス極１４に、半田付けまたはスポット溶接等により取り付けられている。図２に例示するように、マイナスリード板２０の他端部は、電池カバー６ｃの筐体１６ｃの外部に引き出されており、セイフティユニット８に、半田付けまたはスポット溶接等により取り付けられている。
【００２９】
電池カバー６ｂは、中間リード板２２および中間リード板２４を有している（図２、図３参照）。中間リード板２２は、電池４ａのマイナス極１４と電池４ｂのプラス極１２とを電気的に相互に接続するための電極板である。図３に例示するように、中間リード板２２の一端部は、電池カバー６ａの筐体１６ａの内部において、電池４ａのマイナス極１４に、半田付けまたはスポット溶接等により取り付けられている。中間リード板２２の他端部は、電池カバー６ｂの筐体１６ｂの内部において、電池４ｂのプラス極１２に、半田付けまたはスポット溶接等により取り付けられている。図２に例示するように、中間リード板２２の、一端部と他端部との間の中間部は、電池カバー６ａおよび電池カバー６ｂの外部に引き出されており、セイフティユニット８に、半田付けまたはスポット溶接等により取り付けられている。中間リード板２２の中間部は、互いに隣接する電池４ａと電池４ｂとの電位差を示す信号をセイフティユニット８に出力してもよい。
【００３０】
中間リード板２４は、電池４ｂのマイナス極１４と電池４ｃのプラス極１２とを電気的に相互に接続するための電極板である。図３に例示するように、中間リード板２４の一端部は、電池カバー６ｂの筐体１６ｂの内部において、電池４ｂのマイナス極１４に、半田付けまたはスポット溶接等により取り付けられている。中間リード板２４の他端部は、電池カバー６ｃの筐体１６ｃの内部において、電池４ｃのプラス極１２に、半田付けまたはスポット溶接等により取り付けられている。図２に例示するように、中間リード板２４の、一端部と他端部との間の中間部は、電池カバー６ｂおよび電池カバー６ｃの外部に引き出されており、セイフティユニット８に、半田付けまたはスポット溶接等により取り付けられている。中間リード板２４の中間部は、互いに隣接する電池４ｂと電池４ｃとの電位差を示す信号をセイフティユニット８に出力してもよい。
【００３１】
上述したプラスリード板１８、マイナスリード板２０、中間リード板２２、および中間リード板２４により、電池４ａ〜４ｃは、互いに電気的に直列に接続されている。
【００３２】
セイフティユニット８は、電池４ａ〜４ｃの各々の充電および放電を制御するための安全保護回路基板である。図２に例示するように、セイフティユニット８は、電池カバー６ａ〜６ｃの外周面に取り付けられている。セイフティユニット８には、リード線２６の一端部が電気的に接続されている。リード線２６の他端部には、コネクタ２８が電気的に接続されている。コネクタ２８は、電子機器に搭載された回路基板（図示せず）に電気的に接続されている。これにより、セイフティユニット８からの信号および（または）電力は、リード線２６とコネクタ２８とを介して電子機器の回路基板に供給される。
【００３３】
図１および図２に例示するように、被覆部材１０は、例えば、セイフティユニット８を保護するための樹脂製の熱収縮チューブである。被覆部材１０は、電池カバー６ａ〜６ｃおよびセイフティユニット８を被覆している。なお、説明を簡略化するために、図３および図４では、被覆部材１０の図示を省略している。
【００３４】
［１−２．筐体の構成］
次に、図１〜図６を参照しながら、筐体１６の構成について説明する。
【００３５】
図５は、実施の形態１における電池パック２の一構成例を模式的に示す部分断面図である。図５には、図１に示す電池パック２のＩＶ−ＩＶ線断面図を示す。
【００３６】
図６は、実施の形態１における電池パック２が備える筐体１６の一構成例を模式的に示す分解斜視図である。
【００３７】
図１〜図５に例示するように、筐体１６は、電池４のプラス極１２を収納するための第１の収納部３０と、電池４のマイナス極１４を収納するための第２の収納部３２と、を有している。第１の収納部３０は、筐体１６の長辺方向（Ｘ軸方向）における一端部（Ｘ軸正方向側の端部）に形成され、第２の収納部３２は、筐体１６の長辺方向における他端部（Ｘ軸負方向側の端部）に形成されている。
【００３８】
図１に例示するように、電池パック２では、電池カバー６ａの筐体１６ａの他端部にある第２の収納部３２の端面（筐体１６ａのＸ軸負方向側の端部の面）と、電池カバー６ｂの筐体１６ｂの一端部にある第１の収納部３０の端面（筐体１６ｂのＸ軸正方向側の端部の面）とが、例えば凹凸嵌合等により相互に連結されている。また、電池パック２では、電池カバー６ｂの筐体１６ｂの他端部にある第２の収納部３２の端面（筐体１６ｂのＸ軸負方向側の端部の面）と、電池カバー６ｃの筐体１６ｃの一端部にある第１の収納部３０の端面（筐体１６ｃのＸ軸正方向側の端部の面）とが、例えば凹凸嵌合等により相互に連結されている。なお、筐体１６における第１の収納部３０の端面および第２の収納部３２の端面は、筐体１６の長辺方向（Ｘ軸方向）に対して略垂直（ＹＺ平面に略平行）になるように形成された面であり、それぞれが、筐体１６の長辺方向（Ｘ軸方向）における両端を閉塞している。
【００３９】
図１〜図６に例示するように、筐体１６は、上ケース３４と、下ケース３６と、を有している。上ケース３４および下ケース３６は、それぞれが略半円筒状に形成されている。図６に例示するように、上ケース３４の２つの長辺（Ｘ軸に平行な辺）の縁における外周面には、それぞれ、複数の爪３８が形成されている。下ケース３６の２つの長辺（Ｘ軸に平行な辺）の縁における外周面には、それぞれ、複数の孔４０が形成されている。そして、図３に例示するように上ケース３４と下ケース３６とが分離した状態から、上ケース３４の複数の爪３８が、電池４が搭載された下ケース３６の複数の孔４０にそれぞれ差し込まれることにより、図１に例示するように上ケース３４と下ケース３６とが相互に連結され、筐体１６内に電池４が収納される。
【００４０】
図６に例示するように、第１の収納部３０における下ケース３６の内面には、第２の空間４４（図４、図５参照）を設けるための一対の空間保持部４２が形成されている。一対の空間保持部４２は、下ケース３６の一端部側の端面（Ｘ軸正方向側の端面）の内面から、筐体１６の長辺方向（Ｘ軸負方向）にリブ状に突出した形状で形成されている。図５に例示するように、一対の空間保持部４２の各先端部は、筐体１６に収納された電池４のプラス極１２（または、電池４のプラス極１２の周囲の面）に当接して電池４をマイナス極１４側（Ｘ軸負方向）に押圧している。これにより、電池４は、筐体１６内において、長辺方向の第２の収納部３２側（Ｘ軸負方向側）に偏って配置される。そのため、筐体１６の一端部側の第１の収納部３０の端面（筐体１６のＸ軸正方向側の端部の面）と電池４のプラス極１２との間の距離は、筐体１６の他端部側の第２の収納部３２の端面（筐体１６のＸ軸負方向側の端部の面）と電池４のマイナス極１４との間の距離よりも大きくなる。このようにして、電池４を収納した筐体１６の内部には、図４、図５に例示するように、筐体１６の一端部側の第１の収納部３０の端面（筐体１６のＸ軸正方向側の端部の面）と、電池４のプラス極１２との間に、第２の空間４４が形成される。筐体１６の内部に第２の空間４４が設けられることで、過熱によりプラス極１２（または、プラス極１２の周囲）からガスまたは火炎等が噴出した場合に、そのガスまたは火炎等は、第２の空間４４内の空気により緩衝され、筐体１６の一端部側の端面（Ｘ軸正方向側の端面）およびその周辺に衰勢して衝突し、第２の空間４４から第１の空間５２に流動する。したがって、筐体１６の内部に第２の空間４４を設けず、過熱によりプラス極１２（または、プラス極１２の周囲）から噴出したガスまたは火炎等が衰勢されないまま筐体１６の一端部側の端面（Ｘ軸正方向側の端面）およびその周辺に衝突する場合と比較して、第２の空間４４を有する筐体１６では、そのガスまたは火炎等による損傷を低減することができる。
【００４１】
図６に例示するように、上ケース３４の内周面には、第１の空間５２を設けるための複数の上側リブ４６が形成されている。複数の上側リブ４６は、例えば、樹脂等により、上ケース３４と一体成形で形成されてもよい。複数の上側リブ４６は、上ケース３４の長辺方向（Ｘ軸方向）に並列に実質的に等間隔で配置され、上ケース３４の長辺方向（Ｘ軸方向）に対して傾斜して延伸している。
【００４２】
図６に例示するように、下ケース３６の内周面には、第１の空間５２を設けるための複数の下側リブ４８が形成されている。複数の下側リブ４８は、例えば、樹脂等により、下ケース３６と一体成形で形成されてもよい。複数の下側リブ４８は、下ケース３６の長辺方向（Ｘ軸方向）に並列に実質的に等間隔で配置され、下ケース３６の長辺方向（Ｘ軸方向）に対して傾斜して延伸している。
【００４３】
図５に例示するように、複数の上側リブ４６および複数の下側リブ４８は、上ケース３４と下ケース３６とが互いに連結されたときに、上側リブ４６の各々と下側リブ４８の各々とが相互に接続されて、螺旋状の連続した１本の排出リブ５０を筐体１６の内周面に形成するように設けられている。すなわち、本実施の形態に示す電池カバー６は、上ケース３４と下ケース３６とが互いに連結されて構成される筐体１６の内周面に、螺旋状の連続した１本の排出リブ５０を有する。このように、本実施の形態において、筐体１６の内周面に設けられる１本の排出リブ５０は、複数の上側リブ４６と複数の下側リブ４８とで形成されている。排出リブ５０は、筐体１６の内周面において、第１の収納部３０から第２の収納部３２に向けて、筐体１６のＸ軸に平行な中心軸線Ｃ１を中心に、螺旋状に延伸している。なお、この螺旋の回転の向きは、右回りであってもよく、左回りであってもよい。
【００４４】
排出リブ５０は、筐体１６に収納された電池４の外周面に接触する大きさ（高さ）で形成されている。これにより、筐体１６の内部において、電池４は排出リブ５０によって支持され、筐体１６の内周面と電池４の外周面との間に、排出リブ５０の高さに応じた間隙が生じる。このようにして、筐体１６の内周面と電池４の外周面との間には、排出リブ５０による第１の空間５２が形成される。本実施の形態において、第１の空間５２は、電池４を収納した筐体１６において、第１の収納部３０から第２の収納部３２へ向かう螺旋状の気流を発生させるための空間である。
【００４５】
図３〜図６に例示するように、上ケース３４における、第２の収納部３２側（上ケース３４のＸ軸負方向側の端部の面に相対的に近い位置）の側面には、筐体１６の内部と外部とを連通する通気孔５４が形成されている。また、図２、図４〜図６に例示するように、下ケース３６における、第２の収納部３２側（下ケース３６のＸ軸負方向側の端部の面に相対的に近い位置）の側面には、筐体１６の内部と外部とを連通する通気孔５６が形成されている。したがって、通気孔５４および通気孔５６は、筐体１６における第１の収納部３０よりも第２の収納部３２に近い位置（筐体１６の、Ｘ軸正方向側の端部の面よりもＸ軸負方向側の端部の面に近い位置）に配置されている。すなわち、筐体１６の他端部側の第２の収納部３２の端面（筐体１６のＸ軸負方向側の端部の面）と通気孔５４および通気孔５６との間の距離は、筐体１６の一端部側の第１の収納部３０の端面（筐体１６のＸ軸正方向側の端部の面）と通気孔５４および通気孔５６との間の距離よりも短い。これにより、通気孔５４および通気孔５６は、筐体１６に収納された電池４のマイナス極１４の近傍に配置される。
【００４６】
図６に例示するように、下ケース３６には、２つの長辺（Ｘ軸に平行な辺）の一方の辺の縁における外周面と内周面との間に溝部５８が形成され、２つの長辺（Ｘ軸に平行な辺）の他方の辺の縁における外周面と内周面との間に溝部６０が形成されている。溝部５８および溝部６０の各々は、プラスリード板１８またはマイナスリード板２０を収納するための溝である。溝部５８および溝部６０の各々は、下ケース３６の長辺方向（Ｘ軸方向）に沿って直線状に延伸している。
【００４７】
下ケース３６には、図６に例示するように、２つの長辺（Ｘ軸に平行な辺）の一方の辺の縁において、第１の収納部３０側（下ケース３６のＸ軸正方向側の端部の面に相対的に近い位置）に開口部６２が形成され、第２の収納部３２側（下ケース３６のＸ軸負方向側の端部の面に相対的に近い位置）に開口部６４が形成されている。開口部６２および開口部６４の各々は、溝部５８と連通している。また、下ケース３６の、２つの長辺（Ｘ軸に平行な辺）の一方の辺の縁には、第２の収納部３２側（開口部６４よりも、下ケース３６のＸ軸負方向側の端部の面に近い位置）に、溝部５８と連通していない開口部６５が形成されている。
【００４８】
また、下ケース３６には、図６に例示するように、２つの長辺（Ｘ軸に平行な辺）の他方の辺の縁において、第１の収納部３０側（下ケース３６のＸ軸正方向側の端部の面に相対的に近い位置）に開口部６６が形成され、第２の収納部３２側（下ケース３６のＸ軸負方向側の端部の面に相対的に近い位置）に開口部６８が形成されている。開口部６６および開口部６８の各々は、溝部６０と連通している。
【００４９】
図２および図３に例示するように、電池カバー６ａにおいて、プラスリード板１８は、筐体１６ａの溝部５８に収納されている。プラスリード板１８の一端部は、筐体１６ａの開口部６２を通して筐体１６ａの内部に挿入されて、筐体１６ａ内の電池４ａのプラス極１２に接続されている。プラスリード板１８の他端部は、筐体１６ａの開口部６４を通して筐体１６ａの外部に引き出されている。このようにプラスリード板１８を筐体１６ａの溝部５８に収納することにより、電池パック２においては、プラスリード板１８が、筐体１６ａに収納された電池４ａの外周面に接触しない。これにより、電池パック２では、プラスリード板１８と、筐体１６ａに収納された電池４ａとを、プラス極１２を除いて電気的に絶縁することができる。
【００５０】
図２および図３に例示するように、中間リード板２２の一端部は、電池カバー６ａにおいて、筐体１６ａの開口部６８を通して筐体１６ａの内部に挿通され、筐体１６ａ内の電池４ａのマイナス極１４に接続されている。中間リード板２２の他端部は、電池カバー６ｂにおいて、筐体１６ｂの開口部６６を通して筐体１６ｂの内部に挿通され、筐体１６ｂ内の電池４ｂのプラス極１２に接続されている。
【００５１】
また、図２および図３に例示するように、中間リード板２４の一端部は、電池カバー６ｂにおいて、筐体１６ｂの開口部６５を通して筐体１６ｂの内部に挿通され、筐体１６ｂ内の電池４ｂのマイナス極１４に接続されている。中間リード板２４の他端部は、電池カバー６ｃにおいて、筐体１６ｃの開口部６２を通して筐体１６ｃの内部に挿通され、筐体１６ｃ内の電池４ｃのプラス極１２に接続されている。
【００５２】
図２および図３に例示するように、電池カバー６ｃにおいて、マイナスリード板２０は、筐体１６ｃの溝部６０に収納されている。マイナスリード板２０の一端部は、筐体１６ｃの開口部６８を通して筐体１６ｃの内部に挿入されて、筐体１６ｃ内の電池４ｃのマイナス極１４に接続されている。マイナスリード板２０の他端部は、筐体１６ｃの開口部６６を通して筐体１６ｃの外部に引き出されている。このようにマイナスリード板２０を筐体１６ｃの溝部６０に収納することにより、電池パック２においては、マイナスリード板２０が、筐体１６ｃに収納された電池４ｃの外周面に接触しない。これにより、電池パック２では、マイナスリード板２０と、筐体１６ｃに収納された電池４ｃとを、マイナス極１４を除いて電気的に絶縁することができる。
【００５３】
［１−３．効果等］
以上のように、本実施の形態において、電池カバーは、電池を収納するための筐体と、筐体の内周面に形成され、筐体の内周面と電池の外周面との間に第１の空間を形成するためのリブと、を備える。筐体は、筐体の内部と外部とを連通する通気孔と、電池のプラス極を収納するための第１の収納部と、電池のマイナス極を収納するための第２の収納部と、を有する。そして、通気孔は、筐体における第１の収納部よりも第２の収納部に近い位置に配置されている。
【００５４】
なお、電池カバー６（６ａ〜６ｃ）は、それぞれが電池カバーの一例である。電池４（４ａ〜４ｃ）は、それぞれが電池の一例である。筐体１６（１６ａ〜１６ｃ）は、それぞれが筐体の一例である。第１の空間５２は第１の空間の一例である。排出リブ５０はリブの一例である。通気孔５４および通気孔５６は、それぞれが通気孔の一例である。プラス極１２はプラス極の一例である。第１の収納部３０は第１の収納部の一例である。マイナス極１４はマイナス極の一例である。第２の収納部３２は第２の収納部の一例である。
【００５５】
例えば、実施の形態１に示した例では、電池カバー６は、電池４を収納するための筐体１６と、筐体１６の内周面に形成され、筐体１６の内周面と電池４の外周面との間に第１の空間５２を形成するための排出リブ５０と、を備える。筐体１６は、筐体１６の内部と外部とを連通する通気孔５４および通気孔５６と、電池４のプラス極１２を収納するための第１の収納部３０と、電池４のマイナス極１４を収納するための第２の収納部３２と、を有する。そして、通気孔５４および通気孔５６は、筐体１６における第１の収納部３０よりも第２の収納部３２に近い位置に配置されている。
【００５６】
このように構成された電池カバー６では、筐体１６の小型化を図りながら、電池４の内部からガスまたは火炎等が噴出した場合に、周囲への影響を軽減することができる。
【００５７】
過度の充放電や内部短絡等により二次電池が発熱して過度に高温になった場合には、その二次電池の内部からガスまたは火炎等が外部に噴出（暴発）することがある。そのような場合、その二次電池のプラス極（または、プラス極の周囲）からガスまたは火炎等が噴出する傾向にある。例えば、二次電池である電池４が過熱により暴発した場合には、電池４のプラス極１２（または、プラス極１２の周囲）からガスまたは火炎等（電池４の電解液等の内容物を含む）が噴出する可能性がある。
【００５８】
本実施の形態に示す電池カバー６では、筐体１６の内周面に設けられた排出リブ５０により、筐体１６の内周面と電池４の外周面との間に、第１の収納部３０から第２の収納部３２へ向かう第１の空間５２が形成される。そして、筐体１６の、電池４のマイナス極１４の近傍に、通気孔５４および通気孔５６が形成されている。これにより、電池４が過熱により暴発し、電池４のプラス極１２（または、プラス極１２の周囲）からガスまたは火炎等が噴出した場合には、図５に白抜きの矢印で示すように、電池４のプラス極１２（または、プラス極１２の周囲）から噴出したガスまたは火炎等は、排出リブ５０により形成された第１の空間５２を流動して通気孔５４および通気孔５６まで移動し、通気孔５４および通気孔５６から筐体１６の外部に排出される。
【００５９】
このとき、そのガスまたは火炎等は、第１の空間５２を第１の収納部３０から第２の収納部３２まで流動する間に冷却される。これにより、電池カバー６では、電池４のプラス極１２（または、プラス極１２の周囲）から噴出したガスまたは火炎等の温度を低下（例えば、１００℃未満に低下）させることができる。すなわち、電池カバー６では、電池４のプラス極１２（または、プラス極１２の周囲）からガスまたは火炎等が噴出した場合に、そのガスまたは火炎等を、温度を十分に下げた状態で通気孔５４および通気孔５６から電池カバー６の外部に排出することができる。したがって、電池カバー６では、電池４の内部から噴出したガスまたは火炎等が高温のまま電池カバー６の周囲に拡散するのを抑制することができる。これにより、電池カバー６では、例えば、電池４のプラス極１２（または、プラス極１２の周囲）からガスまたは火炎等が噴出した場合に、電池カバー６の周囲に設けられた回路基板等への類焼を抑制することができる。
【００６０】
本実施の形態に示す電池カバー６では、電池４のプラス極１２からガスまたは火炎等が噴出した場合に、上述した特許文献１に開示されたフィルタ部を用いずに、そのガスまたは火炎等の温度を低下させることができる。したがって、本実施の形態に示す電池カバー６は、特許文献１に開示された従来技術と比較して、そのようなフィルタ部を用いない分だけ、電池カバー６の小型化を図ることができる。
【００６１】
なお、筐体１６を、例えばポリカーボネート等の自己消火性を有する材料で形成することにより、電池４のプラス極１２（または、プラス極１２の周囲）からガスまたは火炎等が噴出した場合に、電池カバー６の周囲に設けられた回路基板等への類焼をより効果的に抑制することができる。
【００６２】
電池カバーにおいて、リブは、第１の収納部から第２の収納部に向けて螺旋状に延伸していてもよい。
【００６３】
例えば、実施の形態１に示した例では、排出リブ５０は、第１の収納部３０から第２の収納部３２に向けて螺旋状に延伸している。
【００６４】
このように構成された電池カバー６では、筐体１６の内周面に設けられた螺旋状の連続した１本の排出リブ５０により、筐体１６の内周面と電池４の外周面との間に、第１の収納部３０から第２の収納部３２へ向かう螺旋状の第１の空間５２が形成される。そのため、電池カバー６では、電池４が過熱により暴発した場合に、図５に白抜きの矢印で示すように、電池４のプラス極１２（または、プラス極１２の周囲）から噴出したガスまたは火炎等は、排出リブ５０に沿って第１の空間５２を螺旋状に流動して通気孔５４および通気孔５６まで移動し、通気孔５４および通気孔５６から筐体１６の外部に排出される。これにより、電池カバー６では、ガスまたは火炎等が第１の空間５２を流動する経路を相対的に長くすることができるので、電池４のプラス極１２（または、プラス極１２の周囲）から噴出したガスまたは火炎等の温度を、効果的に低下させることができる。なお、第１の空間５２を形成する、筐体１６の内径、排出リブ５０の高さ、および排出リブ５０の螺旋の粗密、等は、電池４の外径に基づき、プラス極１２（または、プラス極１２の周囲）から噴出したガスまたは火炎等が、第１の空間５２を適切に流動できるように設定されることが望ましい。
【００６５】
電池カバーは、第１の収納部の内面に形成され、第１の収納部の端面と電池のプラス極との間に第２の空間を形成するための空間保持部をさらに備えてもよい。
【００６６】
なお、空間保持部４２は空間保持部の一例である。
【００６７】
例えば、実施の形態１に示した例では、電池カバー６は、第１の収納部３０の内面（筐体１６の第１の収納部３０側の端面の内面）に形成され、第１の収納部３０の端面と電池４のプラス極１２との間に第２の空間４４を形成するための空間保持部４２をさらに備えている。
【００６８】
このように構成された電池カバー６では、電池４のプラス極１２を第１の収納部３０の端面（筐体１６の第１の収納部３０側の端面）から離間させることができる。これにより、電池カバー６では、電池４が過熱により暴発した場合に、電池４のプラス極１２（または、プラス極１２の周囲）から噴出したガスまたは火炎等が第１の収納部３０の端面に与える損傷を低減することができる。
【００６９】
電池カバーは、一端部が電池のプラス極およびマイナス極の一方と電気的に接続された電極板と、筐体の内部に形成された溝部であって、電極板が収納され、電極板の他端部を筐体の外部に引き出すための溝部と、を備えてもよい。
【００７０】
なお、プラスリード板１８およびマイナスリード板２０は、それぞれが電極板の一例である。溝部５８および溝部６０は、それぞれが溝部の一例である。
【００７１】
例えば、実施の形態１に示した例では、電池カバー６（６ａ）は、一端部が電池４（４ａ）のプラス極１２と電気的に接続されたプラスリード板１８と、筐体１６（１６ａ）の内部に形成され、プラスリード板１８を収納してプラスリード板１８の他端部を筐体１６（１６ａ）の外部に引き出す溝部５８と、を備える。また、電池カバー６（６ｃ）は、一端部が電池４（４ｃ）のマイナス極１４と電気的に接続されたマイナスリード板２０と、筐体１６（１６ｃ）の内部に形成され、マイナスリード板２０を収納してマイナスリード板２０の他端部を筐体１６（１６ｃ）の外部に引き出す溝部６０と、を備える。
【００７２】
このように構成された電池カバー６（６ａ、６ｃ）では、プラスリード板１８を筐体１６（１６ａ）の溝部５８に収納することにより、プラスリード板１８は電池４（４ａ）の外周面に接触しない。また、マイナスリード板２０を筐体１６（１６ｃ）の溝部６０に収納することにより、マイナスリード板２０は電池４（４ｃ）の外周面に接触しない。これにより、電池カバー６（６ａ、６ｃ）では、例えば絶縁テープ等の絶縁部材を用いなくても、プラスリード板１８と電池４（４ａ）の外周面とを電気的に絶縁することができ、マイナスリード板２０と電池４（４ｃ）の外周面とを電気的に絶縁することができる。
【００７３】
本実施の形態において、電池パックは、複数の電池カバーと、複数の電池カバーのそれぞれに収納され、相互に電気的に接続された複数の電池と、を備える。
【００７４】
なお、電池パック２は電池パックの一例である。電池カバー６ａ〜６ｃは複数の電池カバーの一例である。電池４ａ〜４ｃは複数の電池の一例である。
【００７５】
例えば、実施の形態１に示した例では、電池パック２は、複数の電池カバー６ａ〜６ｃと、複数の電池カバー６ａ〜６ｃのそれぞれに収納され、相互に電気的に接続された複数の電池４ａ〜４ｃと、を備える。
【００７６】
このように構成された電池パック２では、上述した電池カバー６が用いられることにより、前述と同様に、電池パック２の小型化を図りながら、電池パック２に収納された複数の電池４のいずれか１つまたは複数の内部からガスまたは火炎等が噴出した場合に、周囲への影響を軽減することができる。
【００７７】
（実施の形態２）
実施の形態２に示す電池パック２Ａおよび電池カバー６Ａは、実施の形態１に示した電池パック２および電池カバー６と実質的に同じ構成を有する。ただし、実施の形態２に示す電池カバー６Ａは、実施の形態１に示した電池カバー６と比較して、プレート部材７０を有する点が異なる。以下では、実施の形態１に示した電池カバー６と実施の形態２に示す電池カバー６Ａとの相違点を主に説明する。
【００７８】
なお、以下の説明では、実施の形態１で説明した構成要素と実質的に同じ構成要素には、その構成要素と同じ符号を付与し、説明を省略または簡略化する。
【００７９】
［２−１．電池パックの構成］
以下、図７を参照しながら、実施の形態２に係る電池パック２Ａの構成について説明する。
【００８０】
図７は、実施の形態２における電池パック２Ａの一構成例を模式的に示す部分断面図である。なお、図７には、電池パック２Ａが備える複数（例えば、３つ）の電池カバー６Ａのうちの１つの断面図を示しているが、電池パック２Ａが備える電池カバー６Ａは、１つまたは２つであってもよく、あるいは４つ以上であってもよい。
【００８１】
図７に例示するように、実施の形態２における電池パック２Ａが備える複数（例えば、３つ）の電池カバー６Ａの各々は、実施の形態１に示した電池カバー６の構成に加えて、さらに、プレート部材７０を有している。プレート部材７０は、例えば、ステンレス等の板金で形成され、電池カバー６Ａの筐体１６の内径に応じた大きさで円板状に形成されている。
【００８２】
電池カバー６Ａにおいて、プレート部材７０は、電池カバー６Ａの筐体１６の第１の収納部３０に収納されており、両面粘着テープまたは接着剤等の接着部材により電池４のプラス極１２に取り付けられている。そして、プレート部材７０は、電池４のプラス極１２を覆っている。
【００８３】
なお、一対の空間保持部４２にプレート部材７０を差し込むことができるスリット（図示せず）を設け、両面粘着テープや接着剤等の接着部材に代えて、プレート部材７０をそのスリットに差し込むことで、電池カバー６Ａの筐体１６内にプレート部材７０を取り付けてもよい。
【００８４】
［２−２．効果等］
以上のように、電池カバーは、実施の形態１に示した電池カバーの構成に加え、さらに、第１の収納部に収納され、電池のプラス極を覆うプレート部材を備えてもよい。
【００８５】
なお、プレート部材７０は、プレート部材の一例である。
【００８６】
例えば、実施の形態２に示した例では、電池カバー６Ａは、実施の形態１に示した電池カバー６の構成に加え、さらに、第１の収納部３０に収納され、電池４のプラス極１２を覆うプレート部材７０を備える。
【００８７】
このように構成された電池カバー６Ａでは、電池４が過熱により暴発した場合に、電池４のプラス極１２（または、プラス極１２の周囲）から噴出したガスまたは火炎等を、プレート部材７０により遮蔽または衰勢することができる。これにより、電池カバー６Ａでは、電池４のプラス極１２（または、プラス極１２の周囲）から噴出したガスまたは火炎等が第１の収納部３０の端面に与える損傷をより低減することができる。
【００８８】
（実施の形態３）
実施の形態１では、電池カバー６ａ〜６ｃが電池パック２の長辺方向（Ｘ軸方向）に直列に並んで配置された構成例を説明したが、本開示は何らこの構成例に限定されない。電池パックにおいて、複数の電池カバーは互いに並列に配置されてもよい。実施の形態３では、電池パック２Ｂにおいて、複数（例えば、３つ）の電池カバー６Ｂａ〜６Ｂｃが互いに並列に配置された構成例を説明する。
【００８９】
なお、複数の電池カバーの配置形態を除き、実施の形態３に示す電池パック２Ｂの構成と、実施の形態１に示した電池パック２の構成とは、互いに実質的に同じである。以下の説明では、実施の形態１で説明した構成要素と実質的に同じ構成要素には、その構成要素と同じ符号を付与し、説明を省略または簡略化する。
【００９０】
［３−１．電池パックの構成］
以下、図８および図９を参照しながら、実施の形態３に係る電池パック２Ｂの構成について説明する。
【００９１】
図８は、実施の形態３における電池パック２Ｂの一構成例を模式的に示す斜視図である。
【００９２】
図９は、実施の形態３における電池パック２Ｂの内部構造の一構成例を模式的に示す斜視図である。
【００９３】
なお、実施の形態３における電池パック２Ｂは、実施の形態１に示した電池パック２と同様に、セイフティユニット８、被覆部材１０、リード線２６、およびコネクタ２８等を備えるが、説明を簡略化するために、図８および図９では、それらの図示を省略している。
【００９４】
図８、図９に示すように、実施の形態３における電池パック２Ｂは、複数（例えば、３つ）の電池４ａ、電池４ｂ、電池４ｃと、複数（例えば、３つ）の電池カバー６Ｂａ、電池カバー６Ｂｂ、電池カバー６Ｂｃと、を備えている。また、電池カバー６Ｂａは筐体１６ａを備え、電池カバー６Ｂｂは筐体１６ｂを備え、電池カバー６Ｂｃは筐体１６ｃを備えている。電池カバー６Ｂａは電池４ａを、電池カバー６Ｂｂは電池４ｂを、電池カバー６Ｂｃは電池４ｃを、それぞれ収納するためのカバーである。なお、電池カバー６Ｂａ〜６Ｂｃは互いに実質的に同じ構造を有するため、以下では、互いに区別して説明する必要が特にない場合は、電池カバー６Ｂａ〜６Ｂｃを総称して「電池カバー６Ｂ」ともいう。本実施の形態に示す電池カバー６Ｂは、実施の形態１に示した電池カバー６と実質的に同じ構成を有するため、電池カバー６Ｂの詳細な説明は省略する。
【００９５】
電池カバー６Ｂａ〜６Ｂｃは、電池カバー６Ｂａ〜６Ｂｃの長辺方向に直交する方向（Ｙ軸方向）に並列に並んで配置されている。そして、電池カバー６Ｂａ〜６Ｂｃは、電池４ａ〜４ｃが電気的に直列に接続されるように、電池カバー６Ｂａおよび電池カバー６Ｂｃの配置方向（例えば、第１の収納部３０がＸ軸負方向側に配置され、第２の収納部３２がＸ軸正方向側に配置される向き）に対して、電池カバー６Ｂｂの配置方向が逆向き（例えば、第１の収納部３０がＸ軸正方向側に配置され、第２の収納部３２がＸ軸負方向側に配置される向き）になるようにそれぞれが配置されて相互に連結されている。これにより、電池カバー６Ｂａの筐体１６ａの第２の収納部３２と、電池カバー６Ｂｂの筐体１６ｂの第１の収納部３０とが相互に隣接し、電池カバー６Ｂｂの筐体１６ｂの第２の収納部３２と、電池カバー６Ｂｃの筐体１６ｃの第１の収納部３０とが相互に隣接する。
【００９６】
図９に例示するように、電池カバー６Ｂａにおいて、プラスリード板１８は、筐体１６ａの溝部５８に収納されている。プラスリード板１８の一端部は、筐体１６ａの開口部６２を通して筐体１６ａの内部に挿入されて、筐体１６ａ内の電池４ａのプラス極１２に接続されている。プラスリード板１８の他端部は、筐体１６ａの開口部６４を通して筐体１６ａの外部に引き出されている。
【００９７】
図９に例示するように、中間リード板２２Ｂの一端部は、電池カバー６Ｂａにおいて、筐体１６ａの開口部６８を通して筐体１６ａの内部に挿通され、筐体１６ａ内の電池４ａのマイナス極１４に接続されている。中間リード板２２Ｂの他端部は、電池カバー６Ｂｂにおいて、筐体１６ｂの開口部６６を通して筐体１６ｂの内部に挿通され、筐体１６ｂ内の電池４ｂのプラス極１２に接続されている。
【００９８】
また、図９に例示するように、中間リード板２４Ｂの一端部は、電池カバー６Ｂｂにおいて、筐体１６ｂの開口部６５を通して筐体１６ｂの内部に挿通され、筐体１６ｂ内の電池４ｂのマイナス極１４に接続されている。中間リード板２４Ｂの他端部は、電池カバー６Ｂｃにおいて、筐体１６ｃの開口部６２を通して筐体１６ｃの内部に挿通され、筐体１６ｃ内の電池４ｃのプラス極１２に接続されている。
【００９９】
図９に例示するように、電池カバー６Ｂｃにおいて、マイナスリード板２０は、筐体１６ｃの溝部６０に収納されている。マイナスリード板２０の一端部は、筐体１６ｃの開口部６８を通して筐体１６ｃの内部に挿入されて、筐体１６ｃ内の電池４ｃのマイナス極１４に接続されている。マイナスリード板２０の他端部は、筐体１６ｃの開口部６６を通して筐体１６ｃの外部に引き出されている。
【０１００】
上述したプラスリード板１８、マイナスリード板２０、中間リード板２２Ｂおよび中間リード板２４Ｂにより、電池４ａ〜４ｃは、互いに電気的に直列に接続されている。
【０１０１】
［３−２．効果等］
以上のように、電池パックは、実施の形態１に示した複数の電池カバーが電池パックの長辺方向（Ｘ軸方向）に直列に並んで配置された構成に限定されず、本実施の形態に示すように、複数の電池カバーが互いに並列に配置されて構成されもよい。
【０１０２】
このように構成された電池パック２Ｂにおいても、実施の形態１に示した電池カバー６と実質的に同じ構成の電池カバー６Ｂが用いられることにより、前述と同様に、電池パック２Ｂの小型化を図りながら、電池パック２Ｂに収納された複数の電池４のいずれか１つまたは複数の内部からガスまたは火炎等が噴出した場合に、周囲への影響を軽減することができる。すなわち、本実施の形態においても、実施の形態１と同様の効果を得ることができる。
【０１０３】
（他の実施の形態）
以上のように、本出願において開示する技術の例示として、実施の形態１〜３を説明した。しかしながら、本開示における技術は、これに限定されず、変更、置き換え、付加、省略等を行った実施の形態にも適用できる。また、上記実施の形態１〜３で説明した各構成要素を組み合わせて、新たな実施の形態とすることも可能である。
【０１０４】
そこで、以下、他の実施の形態を例示する。
【０１０５】
実施の形態１では、電池４をリチウムイオン等の非水電解質二次電池であると説明したが、電池４は何ら非水電解質二次電池に限定されない。電池４は非水電解質二次電池以外の電池であってもよい。
【０１０６】
実施の形態１では、上ケース３４と下ケース３６とを相互に連結することにより筐体１６が形成される構成例を説明したが、本開示は何らこの構成例に限定されない。例えば、３つ以上のケースを相互に連結することにより筐体１６が形成されてもよい。あるいは、筐体１６は、例えば略円筒状に一体成形されて形成されてもよい。
【０１０７】
実施の形態１では、電池パック２が３つの電池カバー６（６ａ〜６ｃ）を備える構成例を説明したが、本開示は何らこの構成例に限定されない。電池パック２が備える電池カバー６は、１つまたは２つであってもよく、あるいは４つ以上であってもよい。
【０１０８】
実施の形態１では、各図面に例示するように、通気孔５４および通気孔５６の各々が平面視で略矩形状に形成された構成例を示したが、本開示は何らこの構成例に限定されない。通気孔５４および通気孔５６、例えば円形、楕円形、または多角形等の形状で形成されてもよい。
【０１０９】
実施の形態１では、上ケース３４に通気孔５４を設け、下ケース３６に通気孔５６を設ける構成例を説明したが、本開示は何らこの構成例に限定されない。筐体１６が有する通気孔は１つであってもよく、３つ以上であってもよい。
【０１１０】
実施の形態１では、上ケース３４の側面に通気孔５４を設け、下ケース３６の側面に通気孔５６を設ける構成例を説明したが、本開示は何らこの構成例に限定されない。通気孔５４は、例えば上ケース３４の端面に設けられてもよい。通気孔５６は、例えば下ケース３６の端面に設けられてもよい。
【０１１１】
実施の形態１では、螺旋状に延伸する１本の排出リブ５０が筐体１６の内周面に形成される構成例を示したが、本開示は何らこの構成例に限定されない。例えば、第１の収納部３０から第２の収納部３２に向けて蛇行した形状（波状）で延伸する複数の排出リブ５０が、筐体１６の内周面に周方向に間隔を置いて配置されるように形成されてもよい。
【０１１２】
実施の形態１では、筐体１６に溝部５８および溝部６０を設ける構成例を説明したが、本開示は何らこの構成例に限定されない。例えば、筐体１６から、溝部５８および溝部６０の双方または一方を省略してもよい。このように構成された筐体１６においては、プラスリード板１８および（または）マイナスリード板２０を絶縁テープ等で覆うことにより、プラスリード板１８および（または）マイナスリード板２０と電池４とを電気的に絶縁すればよい。
【０１１３】
実施の形態１では、例えば図６等に、空間保持部４２がリブ状に突出した形状で形成された構成例を示したが、本開示は何らこの構成例に限定されない。空間保持部４２は、筐体１６に収納された電池４をマイナス極１４側（Ｘ軸負方向）に押圧するように形成されていれば、どのような形状であってもよい。
【０１１４】
また、実施の形態１では、例えば図６等に、筐体１６の第１の収納部３０の端面（筐体１６のＸ軸正方向側の端面）の内面に空間保持部４２が設けられた構成例を示したが、本開示は何らこの構成例に限定されない。空間保持部４２は、筐体１６に収納された電池４をマイナス極１４側（Ｘ軸負方向）に押圧することができる位置であれば、どこに配置されていてもよい。空間保持部４２は、例えば、筐体１６の内週面に設けられていてもよい。
【０１１５】
実施の形態２に示したプレート部材７０の径は、電池カバー６Ａの筐体１６の内径と実質的に同じであってもよく、筐体１６の内径より小さくてもよい。また、実施の形態２では、円板状に形成されたプレート部材７０を例示したが、プレート部材７０の形状は何ら円状に限定されるものではなく、矩形、楕円、または多角形等の形状であってもよい。プレート部材７０は、目的とする効果（すなわち、過熱により暴発した電池４のプラス極１２（またはプラス極１２の周辺）から噴出するガスまたは火炎等を遮蔽または衰勢する効果）を得ることができれば、大きさおよび形状は何ら限定されない。
【０１１６】
以上のように、本開示における技術の例示として、実施の形態を説明した。そのために、添付図面および詳細な説明を提供した。
【０１１７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１８】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１９】
本開示は、電池を収納するための電池カバーに適用可能である。また、本開示は、電池を収納した電池カバーを複数個並べて互いに電気的に接続した電池パックに適用可能である。
【符号の説明】
【０１２０】
２，２Ａ，２Ｂ    電池パック
４，４ａ，４ｂ，４ｃ    電池
６，６ａ，６ｂ，６ｃ，６Ａ，６Ａａ，６Ａｂ，６Ａｃ，６Ｂ，６Ｂａ，６Ｂｂ，６Ｂｃ    電池カバー
８    セイフティユニット
１０    被覆部材
１２    プラス極
１４    マイナス極
１６，１６ａ，１６ｂ，１６ｃ    筐体
１８    プラスリード板
２０    マイナスリード板
２２，２２Ｂ，２４，２４Ｂ    中間リード板
２６    リード線
２８    コネクタ
３０    第１の収納部
３２    第２の収納部
３４    上ケース
３６    下ケース
３８    爪
４０    孔
４２    空間保持部
４４    第２の空間
４６    上側リブ
４８    下側リブ
５０    排出リブ
５２    第１の空間
５４，５６    通気孔
５８，６０    溝部
６２，６４，６５，６６，６８    開口部
７０    プレート部材
【図１】
2018025559.tif 000003
【図２】
2018025559.tif 000004
【図３】
2018025559.tif 000005
【図４】
2018025559.tif 000006
【図５】
2018025559.tif 000007
【図６】
2018025559.tif 000008
【図７】
2018025559.tif 000009
【図８】
2018025559.tif 000010
【図９】
2018025559.tif 000011
【国際調査報告】
2018025559.tif 000012
2018025559.tif 000013
2018025559.tif 000014
2018025559.tif 000015